(57)【要約】【課題】本発明は、電気接点及びそのかしめ方法に関するものであり、電気接点を板材にかしめる際に、電気接点頭部の凹凸がつぶれることを防止するものである。【解決手段】本発明の電気接点及びそのかしめ方法は、電気接点１を板材３にかしめる際に、かしめ用パンチの押え部で接点つぶし部４を押さえてかしめることにより、電気接点１の接点つぶし部４以外の頭部の凹凸２を保護し電気接点１の頭部の凹凸２がつぶれないようなかしめ方法とした。【選択図】図１
2007012540.tif 000002
【特許請求の範囲】
【請求項１】
頭部に凹凸がつけられた接点のかしめにおいて、板材の接点取り付け穴に電気接点の接点脚部を挿入し、電気接点の頭部表面に有した凹凸の一部を当接させるパンチで上記接点脚部を変形させて上記板材に固定する電気接点のかしめ方法。
【請求項２】
電気接点の頭部表面に有した凹凸の中央部を当接させてかしめる請求項１に記載の電気接点のかしめ方法。
【請求項３】
電気接点の頭部表面に有した凹凸の外周部を当接させてかしめる請求項１に記載の電気接点のかしめ方法。
【請求項４】
電気接点の頭部表面に有した凹凸の十字形状部を当接させてかしめる請求項１に記載の電気接点のかしめ方法。
【請求項５】
板材の接点取り付け穴に挿入する接点脚部と、頭部表面に凹凸とを有し、上記凹凸はその一部をパンチにより押し付けられて平滑化する接点つぶし部を有することを特徴とする電気接点。
【発明の詳細な説明】
【技術分野】
【０００１】
本発明は、頭部表面に凹凸が付された電気接点およびそのかしめ方法に関するものである。
【背景技術】
【０００２】
従来、電気接点は図６に示されるような構成を有していた。
【０００３】
図６は従来の電気接点の斜視図である。
【０００４】
近年の電気接点にあっては、電気接点特性に優れるものとして、電気接点１に頭部の凹凸２が付された電気接点が多く使用されている。電気接点１は板材３にかしめて取り付けられている。
【０００５】
このような従来の電気接点のかしめ方法を図７に示す。
【０００６】
図７は、従来の電気接点のかしめ方法の工程断面図である。
【０００７】
電気接点１を押えるパンチ１６は、板材３を押えるための押え部１７、電気接点１の頭部の凹凸２を押える凹部１８を有している。板材３には電気接点１の接点脚部７を挿入するための接点取付穴８が開けられている。１９はパンチ１６が下がってきた時に接点脚部７を受けるための受けである。パンチ１６が下がってくると、接点脚部７が受け１９に当接して変形し、それにより電気接点１が板材３にかしめられることとなる。
【０００８】
従来の電気接点かしめを行った後の状態を図８に示す。
【０００９】
図８は、従来の電気接点かしめ後の断面図である。
【００１０】
接点脚部７は図８に示すように押しつぶされてかしめられ、それにより電気接点１は板材３に取り付けられることになる。
【００１１】
以上のような構成により、電気接点１は板材３に取り付けられている。
【００１２】
なお、この出願に関する先行技術文献としては、例えば、特許文献１が知られている。
【特許文献１】特許第３０５８１９７号公報
【発明の開示】
【発明が解決しようとする課題】
【００１３】
しかしながら、上記従来の電気接点及びそのかしめ方法では、電気接点１の頭部の凹凸２にパンチ１６の凹部１８が接触し、電気接点１の頭部の凹凸２がつぶれて平坦化され、電気接点特性が低下するという問題点を有していた。
【００１４】
本発明は上記従来の問題点を解決するもので、電気接点頭部の凹凸のつぶれをなくした電気接点を提供することを目的とするものである。
【課題を解決するための手段】
【００１５】
上記目的を達成するために本発明は、特に、電気接点をかしめる際に、電気接点頭部の凹凸の一部に凹の逃げを有したパンチを使用して当接しない構成とし、当接部となる電気接点頭部の凹凸の一部（たとえば外周部）をつぶすことによりかしめを行うものである。
【発明の効果】
【００１６】
本発明の電気接点及びそのかしめ方法は、電気接点を板材にかしめる際に、パンチの一部に凹の逃げを設け、電気接点頭部の凹凸の一部にパンチを押し付けてつぶすことでかしめを行うことにより、電気接点頭部の凹凸全体がつぶれて、電気接点特性が低下するという不具合を解消でき、電気接点特性を高めることができるという効果を有するものである。
【発明を実施するための最良の形態】
【００１７】
（実施の形態１）
以下、本発明の実施の形態１における電気接点及びそのかしめ方法について、図面を参照しながら説明する。
【００１８】
図１は本発明の実施の形態１における電気接点の斜視図を示す。
【００１９】
図１において、１は電気接点、２は電気接点１につけられた頭部の凹凸、３は電気接点１を取り付ける板材、４は電気接点１を板材３にかしめる際にできた接点つぶし部である。
【００２０】
本発明の電気接点のかしめ方法を図４に示す。
【００２１】
図４は、本発明の電気接点のかしめ方法の工程断面図である。
【００２２】
電気接点１を押えるパンチ９は、電気接点１を押えるための押え部１０、電気接点１の頭部の凹凸２を逃げるための凹部１１を有している。板材３には電気接点１の接点脚部７を挿入するための接点取付穴８が開けられている。受け１２はパンチ９が下がってきた時に接点脚部７を当接させて受けるためのものであり、板材３を受けるための板材受け部１４、接点脚部７を受けるための脚部受け部１５、パンチ９が下がってきた時に受ける受け部１３を有している。パンチ９が下がってくると、電気接点１が板材３にかしめられる。このときパンチ９の押え部１０と受け１２の受け部１３が当接する構成となっている。
【００２３】
このように、図６に示すような頭部の凹凸２が接点頭部の全面につけられた電気接点１を、図４に示すかしめ方法でパンチ９を上下させることにより、電気接点１と板材３をかしめる構成としている。
【００２４】
図５は、本発明の電気接点かしめ後の断面図である。
【００２５】
接点脚部７は押しつぶされ、電気接点１は板材３に取り付けられる。電気接点１の接点頭部には、かしめた時に接点つぶし部４ができている。このようにして、電気接点１は板材３に取り付けられる。
【００２６】
この場合、電気接点１の頭部（外周部をのぞく中央部）の凹凸２をつぶすことなく、板材３に電気接点１をかしめることができる。
【００２７】
（実施の形態２）
図２は、本発明の実施の形態２における電気接点の斜視図を示す。
【００２８】
図２において、１は電気接点、２は電気接点１につけられた頭部の凹凸、３は電気接点１を取り付ける板材、５は電気接点１を板材３にかしめる際にできた接点つぶし部である。
【００２９】
電気接点１を板材３にかしめる際に、図４に示すパンチ９の形状を電気接点１の真ん中だけを押えるように変更したもの（図示せず）である。
【００３０】
この場合、電気接点１の頭部（中央部を除く外周部）の凹凸２を平坦化してつぶすことなく、板材３に電気接点１をかしめることができる。
【００３１】
（実施の形態３）
図３は、本発明の実施の形態３における電気接点の斜視図を示す。
【００３２】
図３において、１は電気接点、２は電気接点１につけられた頭部の凹凸、３は電気接点１を取り付ける板材、６は電気接点１を板材３にかしめる際にできた接点つぶし部である。
【００３３】
電気接点１を板材３にかしめる際に、図４に示すパンチ９の形状を電気接点１の十字形状の部分だけを押えるように変更したもの（図示せず）である。
【００３４】
この場合、電気接点１の頭部（十字形状を除く部分）の凹凸２をつぶすことなく、板材３に電気接点１をかしめることができる。
【００３５】
なお、電気接点１の接点つぶし部は、頭部の凹凸２が一部残るものならばどのような形状でも同様な効果を奏し、電気接点特性を高めることができるという効果が得られるものである。
【産業上の利用可能性】
【００３６】
本発明による電気接点及びそのかしめ方法は、板材の接点取付穴に電気接点を挿入して接点脚部をかしめる際、電気接点の頭部の凹凸を一部つぶして当接させ、それ以外の電気接点頭部の凹凸がつぶれないようにしてかしめることにより、電気接点特性が優れた電気接点が得られるため、信頼性を有する電気接点などの用途に有用である。
【図面の簡単な説明】
【００３７】
【図１】本発明の実施の形態１における電気接点の斜視図
【図２】本発明の実施の形態２における電気接点の斜視図
【図３】本発明の実施の形態３における電気接点の斜視図
【図４】本発明の電気接点のかしめ方法の工程断面図
【図５】本発明の電気接点のかしめ後の断面図
【図６】従来の電気接点の斜視図
【図７】従来の電気接点のかしめ方法の工程断面図
【図８】従来の電気接点かしめ後の断面図
【符号の説明】
【００３８】
１  電気接点
２  頭部の凹凸
３  板材
４、５、６  接点つぶし部
７  接点脚部
８  接点取付穴
９  パンチ
１０  押え部
１１  凹部
１２  受け
１３  受け部
１４  板材受け部
１５  脚部受け部
【図１】
2007012540.tif 000003
【図２】
2007012540.tif 000004
【図３】
2007012540.tif 000005
【図４】
2007012540.tif 000006
【図５】
2007012540.tif 000007
【図６】
2007012540.tif 000008
【図７】
2007012540.tif 000009
【図８】
2007012540.tif 000010